(57)【特許請求の範囲】
【請求項１】
互いに厚みが異なる２つの光記録媒体を互いに波長が異なる２つの光によって記録または再生するための、２枚のレンズを接合してなる光記録媒体用対物レンズにおいて、
前記２つの光記録媒体のうち一方の記録または再生に用いられる波長λ１の光に対しては下記条件式（１）を満足し、
前記２つの光記録媒体のうち他方の記録または再生に用いられる波長λ２の光に対しては下記条件式（２）を満足することを特徴とする光記録媒体用対物レンズ。
ＮＬλ１＞ＮＤλ１…（１）
ＮＬλ２＜ＮＤλ２…（２）
ただし、
ＮＬλ１：波長λ１の光に対する光源側のレンズの屈折率
ＮＤλ１：波長λ１の光に対する光記録媒体側のレンズの屈折率
ＮＬλ２：波長λ２の光に対する光源側のレンズの屈折率
ＮＤλ２：波長λ２の光に対する光記録媒体側のレンズの屈折率
【請求項２】
互いに厚みが異なる２つの光記録媒体を互いに波長が異なる２つの光によって記録または再生するための、２枚のレンズを接合してなる光記録媒体用対物レンズにおいて、
前記２つの光記録媒体のうち一方の記録または再生に用いられる波長λ１の光に対しては下記条件式（３）を満足し、
前記２つの光記録媒体のうち他方の記録または再生に用いられる波長λ２の光に対しては下記条件式（４）を満足することを特徴とする光記録媒体用対物レンズ。
ＮＬλ１＜ＮＤλ１…（３）
ＮＬλ２＞ＮＤλ２…（４）
ただし、
ＮＬλ１：波長λ１の光に対する光源側のレンズの屈折率
ＮＤλ１：波長λ１の光に対する光記録媒体側のレンズの屈折率
ＮＬλ２：波長λ２の光に対する光源側のレンズの屈折率
ＮＤλ２：波長λ２の光に対する光記録媒体側のレンズの屈折率
【請求項３】
互いに厚みの異なる２つの光記録媒体を互いに波長が異なる２つの光によって記録または再生するための、２枚のレンズを接合してなる光記録媒体用対物レンズにおいて、
波長λ１の光を用いて記録または再生される光記録媒体の厚みをｔ１、波長λ２の光を用いて記録または再生される光記録媒体の厚みをｔ２とした際にｔ１＜ｔ２なる条件を満足する場合、
前記接合レンズの接合面が光源側に凸であるときは下記条件式（５）を満足し、
前記接合レンズの接合面が光記録媒体側に凸であるときは下記条件式（６）を満足することを特徴とする光記録媒体用対物レンズ。
ＮＬλ１＞ＮＤλ１  かつ  ＮＬλ２＜ＮＤλ２…（５）
ＮＬλ１＜ＮＤλ１  かつ  ＮＬλ２＞ＮＤλ２…（６）
ただし、
ＮＬλ１：波長λ１の光に対する光源側のレンズの屈折率
ＮＤλ１：波長λ１の光に対する光記録媒体側のレンズの屈折率
ＮＬλ２：波長λ２の光に対する光源側のレンズの屈折率
ＮＤλ２：波長λ２の光に対する光記録媒体側のレンズの屈折率
【請求項４】
互いに厚みの異なる２つの光記録媒体を互いに波長が異なる２つの光によって記録または再生するための、３枚のレンズを接合してなる光記録媒体用対物レンズにおいて、
前記２つの光記録媒体のうち、波長λ１の光を用いて記録または再生される光記録媒体の厚みをｔ１、波長λ２の光を用いて記録または再生される光記録媒体の厚みをｔ２とした際にｔ１＜ｔ２なる条件を満足する場合、下記条件式（７）および下記条件式（１０）を満足することを特徴とする光記録媒体用対物レンズ。
光源側から第１番目のレンズと第２番目のレンズの接合面が光源側に凸であるとき、
Ｎ１λ１＞Ｎ２λ１  かつ  Ｎ１λ２＜Ｎ２λ２…（７）
光源側から第２番目のレンズと第３番目のレンズの接合面が光記録媒体側に凸であるとき、
Ｎ２λ１＜Ｎ３λ１  かつ  Ｎ２λ２＞Ｎ３λ２…（１０）
ただし、
Ｎ１λ１：波長λ１の光に対する光源側から第１番目のレンズの屈折率
Ｎ２λ１：波長λ１の光に対する光源側から第２番目のレンズの屈折率
Ｎ３λ１：波長λ１の光に対する光源側から第３番目のレンズの屈折率
Ｎ１λ２：波長λ２の光に対する光源側から第１番目のレンズの屈折率
Ｎ２λ２：波長λ２の光に対する光源側から第２番目のレンズの屈折率
Ｎ３λ２：波長λ２の光に対する光源側から第３番目のレンズの屈折率
【請求項５】
下記条件式（１１）および（１２）を満足することを特徴とする請求項４記載の光記録媒体用対物レンズ。
Ｎ１λ１＝Ｎ３λ１…（１１）
Ｎ１λ２＝Ｎ３λ２…（１２）
【請求項６】
前記光源側から第１番目のレンズと前記光源側から第３番目のレンズが同一の材質により形成されていることを特徴とする請求項４記載の光記録媒体用対物レンズ。
【請求項７】
前記レンズの接合面における少なくとも１つの面が非球面とされていることを特徴とする請求項１〜６のうちいずれか１項記載の光記録媒体用対物レンズ。
【請求項８】
請求項１〜７のうちいずれか１項記載の光記録媒体用対物レンズを備えていることを特徴とする光ピックアップ装置。
【発明の詳細な説明】
【０００１】
【発明の属する技術分野】
本発明は、２種以上の厚みの異なる光記録媒体に共用し得る信号記録・再生用の対物レンズおよび光ピックアップ装置において、該光記録媒体への照射光が光記録媒体の種類に応じて互いに波長の異なる光とされている場合に、各光を対応する光記録媒体上に効率良く収束させることのできる対物レンズおよびこれを用いた光ピックアップ装置に関するものである。
【０００２】
【従来の技術および発明が解決しようとする課題】
近年、種々の光記録媒体が開発されており、複数種の光記録媒体を共用して記録・再生し得る光ピックアップ装置が知られている。例えば、ＤＶＤ（ディジタル・バーサタイル・ディスク）とＣＤ−Ｒ（追記型光ディスク）を１つの光ピックアップ装置を用いて記録・再生する装置が知られている。
【０００３】
ところで、このような２つの光記録媒体においては、ＤＶＤについては、記録密度の向上を図るため、例えば650nm程度の可視光を使用することとなっているのに対し、ＣＤ−Ｒについては、可視光領域の光に対して感度を有さないため、780nm程度の近赤外光を使用する必要があり、これら両者に対して共用し得る光ピックアップ装置では２つの異なる波長の光を照射光として用いる、いわゆる２波長ビーム方式によることとなる。
【０００４】
しかしながら、上述した例示における２つの光記録媒体においては両者のディスク厚がＣＤ−Ｒについては1.2ｍｍに定められており、ＤＶＤについては0.6ｍｍのものが多く使用されているため、再生または記録を行うための各波長の光に対し互いに異なる所定位置に確実に収束させる必要がある。
【０００５】
このような事情から、再生または記録を行う光記録媒体の種類に応じて、収束作用が互いに異なる２つの対物レンズを交換可能とするシステムが知られているが、これでは光ピックアップ装置の構造が複雑となり、コンパクト化および低廉化の要請にも反する。
【０００６】
一方、近年、回折光学素子や複数輪帯領域からなる多焦点レンズを光ピックアップ装置の対物レンズ部分に用いるものが知られている（特開平8-62493号公報、特開平9-145994号公報等）。
【０００７】
しかしながら、上記回折光学素子を用いたものでは、回折光学素子からの、記録・再生に寄与しない、互いに異なる次数の光がノイズ光となってしまう。また、上記多焦点レンズを用いたものでは、そのときの記録・再生に寄与する輪帯領域以外の輪帯領域を透過した光がノイズ光となってしまう。これらのノイズ光により記録・再生におけるＳ/Ｎ比が劣化する。
【０００８】
本発明は上記事情に鑑みなされたもので、光ピックアップ装置の構造を複雑にすることなく、２つの波長の光を各々、対応する厚みの光記録媒体の記録面に良好に収束させることができる、コンパクトかつ低廉で、Ｓ/Ｎ比が良好な光記録媒体用対物レンズおよびこれを用いた光ピックアップ装置を提供することを目的とするものである。
【０００９】
【課題を解決するための手段】
本発明の請求項１に係る光記録媒体用対物レンズは、互いに厚みが異なる２つの光記録媒体を互いに波長が異なる２つの光によって記録または再生するための、２枚のレンズを接合してなる光記録媒体用対物レンズにおいて、
前記２つの光記録媒体のうち一方の記録または再生に用いられる波長λ１の光に対しては下記条件式（１）を満足し、
前記２つの光記録媒体のうち他方の記録または再生に用いられる波長λ２の光に対しては下記条件式（２）を満足することを特徴とするものである。
【００１０】
ＮＬλ１＞ＮＤλ１…（１）
ＮＬλ２＜ＮＤλ２…（２）
ただし、
ＮＬλ１：波長λ１の光に対する光源側のレンズの屈折率
ＮＤλ１：波長λ１の光に対する光記録媒体側のレンズの屈折率
ＮＬλ２：波長λ２の光に対する光源側のレンズの屈折率
ＮＤλ２：波長λ２の光に対する光記録媒体側のレンズの屈折率
【００１１】
本発明の請求項２に係る光記録媒体用対物レンズは、互いに厚みが異なる２つの光記録媒体を互いに波長が異なる２つの光によって記録または再生するための、２枚のレンズを接合してなる光記録媒体用対物レンズにおいて、
前記２つの光記録媒体のうち一方の記録または再生に用いられる波長λ１の光に対しては下記条件式（３）を満足し、
前記２つの光記録媒体のうち他方の記録または再生に用いられる波長λ２の光に対しては下記条件式（４）を満足することを特徴とするものである。
【００１２】
ＮＬλ１＜ＮＤλ１…（３）
ＮＬλ２＞ＮＤλ２…（４）
ただし、
ＮＬλ１：波長λ１の光に対する光源側のレンズの屈折率
ＮＤλ１：波長λ１の光に対する光記録媒体側のレンズの屈折率
ＮＬλ２：波長λ２の光に対する光源側のレンズの屈折率
ＮＤλ２：波長λ２の光に対する光記録媒体側のレンズの屈折率
【００１３】
本発明の請求項３に係る光記録媒体用対物レンズは、互いに厚みの異なる２つの光記録媒体を互いに波長が異なる２つの光によって記録または再生するための、２枚のレンズを接合してなる光記録媒体用対物レンズにおいて、
波長λ１の光を用いて記録または再生される光記録媒体の厚みをｔ１、波長λ２の光を用いて記録または再生される光記録媒体の厚みをｔ２とした際にｔ１＜ｔ２なる条件を満足する場合、
前記接合レンズの接合面が光源側に凸であるときは下記条件式（５）を満足し、
前記接合レンズの接合面が光記録媒体側に凸であるときは下記条件式（６）を満足することを特徴とするものである。
【００１４】
ＮＬλ１＞ＮＤλ１  かつ  ＮＬλ２＜ＮＤλ２…（５）
ＮＬλ１＜ＮＤλ１  かつ  ＮＬλ２＞ＮＤλ２…（６）
ただし、
ＮＬλ１：波長λ１の光に対する光源側のレンズの屈折率
ＮＤλ１：波長λ１の光に対する光記録媒体側のレンズの屈折率
ＮＬλ２：波長λ２の光に対する光源側のレンズの屈折率
ＮＤλ２：波長λ２の光に対する光記録媒体側のレンズの屈折率
【００１５】
本発明の請求項４に係る光記録媒体用対物レンズは、互いに厚みの異なる２つの光記録媒体を互いに波長が異なる２つの光によって記録または再生するための、３枚のレンズを接合してなる光記録媒体用対物レンズにおいて、
前記２つの光記録媒体のうち、波長λ１の光を用いて記録または再生される光記録媒体の厚みをｔ１、波長λ２の光を用いて記録または再生される光記録媒体の厚みをｔ２とした際にｔ１＜ｔ２なる条件を満足する場合、下記条件式（７）および下記条件式（１０）を満足することを特徴とするものである。
【００１６】
光源側から第１番目のレンズと第２番目のレンズの接合面が光源側に凸であるとき、
Ｎ１λ１＞Ｎ２λ１  かつ  Ｎ１λ２＜Ｎ２λ２…（７）
光源側から第２番目のレンズと第３番目のレンズの接合面が光記録媒体側に凸であるとき、
Ｎ２λ１＜Ｎ３λ１  かつ  Ｎ２λ２＞Ｎ３λ２…（１０）
ただし、
Ｎ１λ１：波長λ１の光に対する光源側から第１番目のレンズの屈折率
Ｎ２λ１：波長λ１の光に対する光源側から第２番目のレンズの屈折率
Ｎ３λ１：波長λ１の光に対する光源側から第３番目のレンズの屈折率
Ｎ１λ２：波長λ２の光に対する光源側から第１番目のレンズの屈折率
Ｎ２λ２：波長λ２の光に対する光源側から第２番目のレンズの屈折率
Ｎ３λ２：波長λ２の光に対する光源側から第３番目のレンズの屈折率
【００１７】
この場合において、下記条件式（１１）および（１２）を満足することが好ましい。
Ｎ１λ１＝Ｎ３λ１…（１１）
Ｎ１λ２＝Ｎ３λ２…（１２）
【００１８】
また、前記光源側から第１番目のレンズと前記光源側から第３番目のレンズが同一の材質により形成されていることが好ましい。
また、前記レンズの接合面は非球面とすることも可能である。
【００１９】
さらに、本発明の光ピックアップ装置は、上記いずれかの光記録媒体用対物レンズを備えていることを特徴とするものである。
【００２０】
【作用】
一般に、厚みの異なる複数種のディスクの記録・再生に共用する光ディスク用対物レンズにおいては、下記のような問題がある。
すなわち、相対的に厚いディスク用に設計された対物レンズを相対的に薄いディスクの記録・再生に使用すると負の球面収差が発生し、十分な記録・再生ができない。
【００２１】
逆に、相対的に薄いディスク用に設計された対物レンズを相対的に厚いディスクの記録・再生に使用すると正の球面収差が発生し、十分な記録・再生ができない。
例えば、ＣＤ−Ｒ（1.2ｍｍ厚）用に設計された対物レンズをＤＶＤ（0.6ｍｍ厚）の記録・再生に使用すると負の球面収差が発生し、十分な記録・再生ができない。
【００２２】
逆に、ＤＶＤ（0.6ｍｍ厚）用に設計された対物レンズをＣＤ−Ｒ（1.2ｍｍ厚）の記録・再生に使用すると正の球面収差が発生し、十分な記録・再生ができない。
したがって、上記厚いディスクと上記薄いディスクの両方に対して、記録・再生できるようにレンズを設計しようとするならば、球面収差の変化の方向が、上記厚いディスクの使用条件と上記薄いディスクの使用条件で互いに反対になるようなレンズの設計パラメ−タが必要になる。
【００２３】
ところで、レンズと空気との境界面は、レンズ面が空気の側に凸面を向けている場合、すなわち正の屈折力のレンズ面である場合には、レンズ面の曲率を大きくしていくにしたがい、一般に球面収差は負の方向に変化する。
【００２４】
逆に、レンズ面が空気の側に凹面を向けている場合、すなわち、負の屈折力のレンズ面である場合には、レンズ面の曲率を大きくしていくにしたがい、一般に球面収差は正の方向に変化する。
【００２５】
１群１枚構成のレンズでは、空気と接する境界面のみしか有していないのであるから、上述したことからも明らかなように、その境界面の曲率を変化させても、球面収差を、正および負いずれの方向へも同時に変化させ得るレンズ面は存在し得ないこととなる。
【００２６】
これに対し、接合レンズにおいては、接合面の前後の材質の屈折率の大小関係の違いにより、同じ面形状であっても正の屈折力を有するようにすることもできれば、負の屈折力を有するようにすることもできる。
【００２７】
すなわち、例えば、接合面が光源側に凸となっている場合において、その接合面の光源側に位置するレンズ材質の屈折率が、接合面の光記録媒体側に位置するレンズ材質の屈折率よりも小さい場合には、その接合面は、正の屈折力を有するレンズ面とすることができ、反対に、その接合面の光源側に位置するレンズ材質の屈折率が、接合面の光記録媒体側に位置するレンズ材質の屈折率よりも大きい場合には、その接合面は、負の屈折力を有するレンズ面とすることができる。
【００２８】
このように、接合面においては、同じ形状であっても前後の屈折率の違いにより、正の屈折力のレンズ面としたり負の屈折力のレンズ面とすることができ、接合面の曲率を大きくしたときには、そのときのレンズ面の屈折力に応じて、負あるいは正の方向へ球面収差を変化させることができる。
【００２９】
本発明は、このような接合面の特質に着目してなされたものである。
そして、このような接合面の特質を利用することにより、ディスクの厚みに応じて使用する光の波長が異なる場合には、レンズを構成する材質の波長による屈折率の違いを利用して、波長λ1の光に対しては負の屈折力（または正の屈折力）を、波長λ2の光に対しては正の屈折力（または負の屈折力）を接合面に持たせている。
【００３０】
例えば、波長λ１の光で厚さｔ１、波長λ２の光で厚さｔ２（ただし、ｔ１＜ｔ２）のディスクを記録・再生する光ディスク用対物レンズとして接合レンズを使用し、接合面が光源側に凸となっている場合には、波長λ１の光に対して接合面の光源側のレンズ材質の屈折率が光記録媒体側のレンズ材質の屈折率よりも大きくなるようにし、かつ、波長λ２の光に対して接合面の光源側のレンズ材質の屈折率が光記録媒体側のレンズ材質の屈折率よりも小さくなるようにすることで、接合面は、波長λ１の光に対して負の屈折力を、波長λ２の光に対して正の屈折力をそれぞれ有するものとすることができる。
【００３１】
そして、この接合面の曲率を大きくしていくと、波長λ１の光に対して、正の方向へ球面収差を変化させることができ、波長λ２の光に対しては、負の方向へ球面収差を変化させることができるようになり、相対的に厚いディスクの使用条件と相対的に薄いディスクの使用条件により球面収差の変化の方向が互いに反対となるようなレンズの設計パラメ−タを存在させることができるから、互いに異なる厚みのディスクを記録・再生し得る対物レンズを構成することが可能となる。
【００３２】
なお、上記の例で接合面が光記録媒体側に凸となっている場合には、レンズ材質の屈折率を上記と逆の関係とすることにより、上記と同様の作用効果を有するものとすることができる。
【００３３】
なお、特開平10-332906号公報、さらには特許第2727373号公報には光ピックアップ用の接合型対物レンズが開示されているが、これらはいずれも一つの波長の使用光を前提としているため、本発明の作用効果を奏することは困難である。
【００３４】
【発明の実施の形態】
以下、本発明の実施形態について図面を用いて説明する。
まず、図１１を用いて本発明の実施形態に係る光記録媒体用対物レンズを用いた光ピックアップ装置について説明する。
【００３５】
この光ピックアップ装置では、ＬＤ電源１１Ａからの電力供給により半導体レーザ１１Ｂ、１１Ｃから出力されたレーザ光１２がハーフミラー１３により反射され、コリメータレンズ４により平行光とされ、対物レンズ５により収束光とされて光ディスク６の記録領域６Ｐ上に照射される。なお、半導体レーザ１１Ｂは、ＣＤ−Ｒ（追記型光ディスク）用の、波長780nm程度の近赤外域のレーザ光を出力する光源であり、半導体レーザ１１Ｃは、ＤＶＤ（ディジタル・バーサタイル・ディスク）用の、例えば波長650nmの可視域のレーザ光を出力する光源であり、ハーフミラー１１Ｄを介していずれかの半導体レーザ１１Ｂ、１１Ｃから出力されたレーザ光１２がハーフミラー１３に照射されるようになっている。また、ＬＤ電源１１Ａと半導体レーザ１１Ｂ、１１Ｃとの間には切替スイッチ１１Ｅが配されており、この切替スイッチ１１Ｅの操作によりいずれかの半導体レーザ１１Ｂ、１１Ｃに電力が供給されるようになっている。
【００３６】
上記記録領域６Ｐには信号情報を担持したピットがトラック状に配列されるようになっており、この記録領域６Ｐからの上記レーザ光１２の再生反射光は信号情報を担持した状態で対物レンズ５およびコリメータレンズ４を介してハーフミラー１３に入射し、このハーフミラー１３を透過して４分割のフォトダイオード７に入射する。このフォトダイオード７では分割された４つのダイオード位置の各受光量を演算してデータ信号、およびフォーカスとトラッキングの各エラー信号を得る。
【００３７】
なお、ハーフミラー１３は光ディスク６からの戻り光の光路に対して45°傾いた状態で挿入されているのでシリンドリカルレンズと同等の作用をなし、このハーフミラー１３を透過した光ビームは非点収差を有することとなり、４分割のフォトダイオード７上におけるこの戻り光のビームスポットの形状に応じてフォーカスのエラー量が決定されることとなる。なお、上記コリメータレンズ４は状況に応じて省略することも可能であり、さらに半導体レーザ１１Ｂ、１１Ｃとハーフミラー１３との間にグレーティングを挿入して３ビームによりトラッキングエラーを検出することも可能である。
【００３８】
このように本実施形態の光ピックアップ装置では、ＣＤ−ＲとＤＶＤのいずれの光ディスク６についても信号の記録・再生が可能となるように構成されている。
なお、ＣＤ−Ｒ，ＤＶＤは共にＰＣ（ポリカーボネート）からなる保護板を有している。
【００３９】
ところで、上記ＣＤ−Ｒは幾何学的厚みが1.2 ｍｍに規格統一されており、屈折率が1.55のものが多く使用されている。また、上記ＤＶＤは幾何学的厚みが0.6 ｍｍ、屈折率が1.58のものが多く使用されているため、これらいずれの光ディスク６についても確実にフォーカシングをなすべく、記録・再生を行うための各波長の光に対し互いに異なる収束作用を有する構成を設ける必要がある。
【００４０】
そこで、上記光ピックアップ装置においては、図１１に示す如く、波長による屈折率変化率の異なる複数枚のレンズ１、２を接合してなる、各波長に応じて収束位置が変化する対物レンズ５を設け、ＣＤ−ＲおよびＤＶＤの記録・再生を共用することができるように構成している。
【００４１】
すなわち、ＤＶＤが所定位置（ターンテーブル上）に配されてその記録・再生が行われる場合には、半導体レーザ１１Ｃからの波長650nm（λ１）のレーザ光１２が略平行光とされた状態で対物レンズ５に入射することになるが、入射するレーザ光１２は、この対物レンズ５によりＤＶＤの記録面上に収束せしめられることになる。
【００４２】
一方、ＣＤ−Ｒが所定位置（ターンテーブル上）に配されてその記録・再生が行われる場合には、半導体レーザ１１Ｂからの波長780nm（λ２）のレーザ光１２が略平行光とされた状態で対物レンズ５に入射することになるが、入射するレーザ光１２は、この対物レンズ５によりＣＤ−Ｒの記録面上に収束せしめられることになる。
【００４３】
ここで対物レンズ５は、接合された両レンズにおいて、波長に応じた、光源側のレンズと光記録媒体側のレンズの屈折率差が互いに逆符号とされている。
以下、上述した対物レンズ５を実施例１〜５により具体的に説明する。
【００４４】
【実施例】
＜実施例１＞
図１（Ａ）に示されるようにＤＶＤ６Ａが所定位置（ターンテーブル上）に配されてその記録・再生が行われる場合には、波長650nm（λ１）のレーザ光１２が略平行光とされた状態で対物レンズ５に入射することになるが、入射するレーザ光１２は、この対物レンズ５によりＤＶＤ６Ａの記録面上に収束せしめられる。
【００４５】
一方、図１（Ｂ）に示されるようにＣＤ−Ｒ６Ｂが所定位置（ターンテーブル上）に配されてその記録・再生が行われる場合には、波長780nm（λ２）のレーザ光１２が略平行光とされた状態で対物レンズ５に入射することになるが、入射するレーザ光１２は、この対物レンズ５によりＣＤ−Ｒ６Ｂの記録面上に収束せしめられる。
【００４６】
実施例１における対物レンズ５は、光源側から順に、光源側に非球面（下記非球面式で示される。以下の非球面においても同じである。）の凸面を向けた負のメニスカスレンズ２と、光記録媒体側に非球面からなる曲率の弱い面を向けた両凸レンズ１とを接合してなる。なお、接合面は非球面である。対物レンズ５の表裏面および接合面を非球面で構成することにより収差補正の設計自由度および補正の効果を大幅に向上することが可能である。
【００４７】
そして、本実施例においては、接合面が光源側に凸となるようにし、上記波長λ１の光に対して接合面の光源側のレンズ２の屈折率が光記録媒体側のレンズ１の屈折率よりも大きくなるようにし、かつ、上記波長λ２の光に対して接合面の光源側のレンズ２の屈折率が光記録媒体側のレンズ１の屈折率よりも小さくなるようにすることで、接合面は、上記波長λ１の光に対して負の屈折力を、上記波長λ２の光に対して正の屈折力をそれぞれ有するものとすることができる。
【００４８】
そして、この接合面の曲率を大きくすることで、上記波長λ１の光に対して、正の方向へ球面収差を変化させることができ、上記波長λ２の光に対しては、負の方向へ球面収差を変化させることができるようになり、相対的に厚いディスクであるＣＤ−Ｒ６Ｂの使用条件と相対的に薄いディスクであるＤＶＤ６Ａの使用条件により球面収差の変化の方向が互いに反対となるようなレンズの設計パラメ−タを存在させることができるから、球面収差の小さいＤＶＤ／ＣＤ−Ｒ共用の対物レンズ５を実現することができる。
【００４９】
【数１】
0004076047.tif 000002
【００５０】
下記表１の上段には、実施例１に係る対物レンズ５のレンズデータ（曲率半径Ｒ、面間隔Ｄおよびλ＝650nm、780nmに対する屈折率Ｎ）が示されている。
【００５１】
【表１】
0004076047.tif 000003
【００５２】
また、上記表１の中段には、各非球面の非球面係数が示されている。
さらに、表１の下段には、光記録媒体としてＤＶＤおよびＣＤ−Ｒをセットした各場合における、対物レンズ５の焦点距離、対物レンズ５への入射光束径および対物レンズ５の開口数の各値を示す。
【００５３】
＜実施例２＞
実施例２における対物レンズ５は、光源側から順に、光源側に非球面からなる弱い曲率の面を向けた両凸レンズ１ａと、光記録媒体側に非球面からなる凸面を向けた負のメニスカスレンズ２ａとを接合してなる。なお、接合面は非球面とされている。
【００５４】
そして、本実施例においては、接合面が光記録媒体側に凸となるようにし、上記波長λ１の光に対して、接合面の光源側のレンズ１ａの屈折率が光記録媒体側のレンズ２ａの屈折率よりも小さくなるようにし、かつ、上記波長λ２の光に対して、接合面の光源側のレンズ１ａの屈折率が光記録媒体側のレンズ２ａの屈折率よりも大きくなるようにすることで、接合面は、上記波長λ１の光に対して負の屈折力を、上記波長λ２の光に対して正の屈折力をそれぞれ有するものとすることができる。
【００５５】
そして、この接合面の曲率を大きくすることで、上記波長λ１の光に対して、正の方向へ球面収差を変化させることができ、上記波長λ２の光に対しては、負の方向へ球面収差を変化させることができるようになり、相対的に厚いディスクであるＣＤ−Ｒ６Ｂの使用条件と相対的に薄いディスクであるＤＶＤ６Ａの使用条件により球面収差の変化の方向が互いに反対となるようなレンズの設計パラメ−タを存在させることができるから、球面収差の小さいＤＶＤ／ＣＤ−Ｒ共用の対物レンズ５を実現することができる。
【００５６】
表２の上段には、実施例２に係る対物レンズ５のレンズデータ（曲率半径Ｒ、面間隔Ｄおよびλ＝650nm、780nmに対する屈折率Ｎ）が示されている。
【００５７】
【表２】
0004076047.tif 000004
【００５８】
また、上記表２の中段には、各非球面の非球面係数が示されている。
さらに、表２の下段には、光記録媒体としてＤＶＤおよびＣＤ−Ｒをセットした各場合における、対物レンズ５の焦点距離、対物レンズ５への入射光束径および対物レンズ５の開口数の各値を示す。
【００５９】
＜実施例３＞
実施例３における対物レンズ５は、光源側から順に、光源側に非球面の凸面を向けた負のメニスカスレンズ２ｂと、光記録媒体側に非球面からなる曲率の弱い面を向けた両凸レンズ１ｂとを接合してなる。なお、接合面は球面である。対物レンズ５の表裏面を非球面で構成することにより収差補正の設計自由度および補正の効果を大幅に向上することが可能である。
なお、本実施例の作用効果は上記実施例１のものと略同様である。
【００６０】
表３の上段には、実施例３に係る対物レンズ５のレンズデータ（曲率半径Ｒ、面間隔Ｄおよびλ＝650nm、780nmに対する屈折率Ｎ）が示されている。
【００６１】
【表３】
0004076047.tif 000005
【００６２】
また、上記表３の中段には、各非球面の非球面係数が示されている。
さらに、表３の下段には、光記録媒体としてＤＶＤおよびＣＤ−Ｒをセットした各場合における、対物レンズ５の焦点距離、対物レンズ５への入射光束径および対物レンズ５の開口数の各値を示す。
【００６３】
＜実施例４＞
実施例４における対物レンズ５は、光源側から順に、光源側に非球面からなる面を向けた両凸レンズ１ｃと、光記録媒体側に非球面からなる凸面を向けた負のメニスカスレンズ２ｃとを接合してなる。なお、接合面は球面とされている。
【００６４】
これによる作用効果は、実施例２と略同様である。
表４の上段には、実施例４に係る対物レンズ５のレンズデータ（曲率半径Ｒ、面間隔Ｄおよびλ＝650nm、780nmに対する屈折率Ｎ）が示されている。
【表４】
0004076047.tif 000006
【００６５】
また、上記表４の中段には、各非球面の非球面係数が示されている。
さらに、表４の下段には、光記録媒体としてＤＶＤおよびＣＤ−Ｒをセットした各場合における、対物レンズ５の焦点距離、対物レンズ５への入射光束径および対物レンズ５の開口数の各値を示す。
【００６６】
＜実施例５＞
実施例５における対物レンズ５は、光源側から順に、光源側に非球面からなる凸面を向けた負のメニスカスレンズ２ｄと、光源側に強い曲率の面を向けた両凸レンズ１ｄと、光記録媒体側に非球面からなる凸面を向けた負のメニスカスレンズ３ｄとを順に接合してなる。なお、接合面はいずれも球面である。
【００６７】
表５の上段には、実施例５に係る対物レンズ５のレンズデータ（曲率半径Ｒ、面間隔Ｄおよびλ＝650nm、780nmに対する屈折率Ｎ）が示されている。
【００６８】
表５から明らかなように、メニスカスレンズ２ｄ、両凸レンズ１ｄ、メニスカスレンズ３ｄの波長650nm（λ１）、波長780nm（λ２）に対する屈折率をそれぞれ下記のようにしたとき、下記条件式（７）および（１０）が満足されるように構成されている。
【００６９】
Ｎ１λ１＞Ｎ２λ１  かつ  Ｎ１λ２＜Ｎ２λ２…（７）
Ｎ２λ１＜Ｎ３λ１  かつ  Ｎ２λ２＞Ｎ３λ２…（１０）
ただし、
Ｎ１λ１：波長λ１の光に対するメニスカスレンズ２ｄ（光源側から第１番目のレンズ）の屈折率
Ｎ２λ１：波長λ１の光に対する両凸レンズ１ｄ（光源側から第２番目のレンズ）の屈折率
Ｎ３λ１：波長λ１の光に対するメニスカスレンズ３ｄ（光源側から第３番目のレンズ）の屈折率
Ｎ１λ２：波長λ２の光に対するメニスカスレンズ２ｄ（光源側から第１番目のレンズ）の屈折率
Ｎ２λ２：波長λ２の光に対する両凸レンズ１ｄ（光源側から第２番目のレンズ）の屈折率
Ｎ３λ２：波長λ２の光に対するメニスカスレンズ３ｄ（光源側から第３番目のレンズ）の屈折率
【００７０】
さらに、本実施例では下記条件式（１１）および（１２）を満足している。
Ｎ１λ１＝Ｎ３λ１…（１１）
Ｎ１λ２＝Ｎ３λ２…（１２）
【００７１】
本実施例による作用効果は上記２枚構成の実施例３、４の各場合をあわせた作用効果と同様に考えることができる。さらに、上述した如く、光源側から第１、第３番目のレンズを同一の屈折率としており、これを同一の材質のものとすることで製造容易性およびコスト低減を図ることができる。
【００７２】
なお、光源側から第１、第３番目のレンズの各波長λ１、λ２に対する屈折率は互いに異なったものとすることも勿論可能である。
【００７３】
【表５】
0004076047.tif 000007
【００７４】
また、上記表５の中段には、各非球面の非球面係数が示されている。
さらに、表５の下段には、光記録媒体としてＤＶＤおよびＣＤ−Ｒをセットした各場合における、対物レンズ５の焦点距離、対物レンズ５への入射光束径および対物レンズ５の開口数の各値を示す。
【００７５】
図６〜１０は、それぞれ上記実施例１〜５の波面収差図を示すものであり、いずれの実施例においてもＤＶＤおよびＣＤ−Ｒがともに良好とされていることが明らかである。
【００７６】
なお、本発明の対物レンズとしては上述した実施形態のものに限られず種々の態様の変更が可能であり、レンズを形成する材料としては、例えばプラスチック材料を使用することができる。さらに、熱や光によって硬化する樹脂を用いれば、この樹脂を一方のレンズに貼付しつつ、所望の形状に成形することで、一方のレンズに接合する薄肉レンズを形成することが可能である。
【００７７】
また、レンズ接合面の形状を決定するにあたっては、波長が例えば780nm（λ２）の光に対してもＮＡ＝0.6 程度までの性能保証がなされれば、ＤＶＤとＣＤ−Ｒの明るさを調整するための特別の絞り（液晶シャッタや波長選択性のあるフィルタ等）は不要である。
【００７８】
また、本発明の光ピックアップ装置としても、記録・再生対象となる光記録媒体としてはＤＶＤとＣＤ−Ｒに限られず、使用波長域および／または光記録媒体の厚みの仕様が互いに異なる２つの光記録媒体を共通の光ピックアップ装置で記録・再生する場合に適用できる。
【００７９】
また、上記実施形態に係る光ピックアップ装置は互いに異なる波長の光を出力する各光源を設けているが、これに代えて２つの異なる波長の光を出力し得る１つの光源を設けるようにしてもよい。
さらに、上記実施形態のものではλ１＜λ２とされているが、λ１＞λ２とすることも勿論可能である。
【００８０】
【発明の効果】
以上に説明したように、本発明の光記録媒体用対物レンズおよびこれを用いた光ピックアップ装置においては、接合面の特質を利用しており、ディスクの厚みに応じて、使用する光の波長が異なる場合には、レンズを構成する材質の波長による屈折率の違いを利用して、波長λ1の光に対しては負の屈折力（または正の屈折力）を、波長λ2の光に対しては正の屈折力（または負の屈折力）を接合面に持たせるようにしている。
【００８１】
そして、この接合面の曲率を大きくすると、波長λ１の光に対して、正の方向（または負の方向）へ球面収差を変化させることができ、波長λ２の光に対しては、負の方向（または正の方向）へ球面収差を変化させることができるようになり、相対的に厚いディスクの使用条件と相対的に薄いディスクの使用条件により球面収差の変化の方向が互いに反対となるようなレンズの設計パラメ−タを存在させることができるから、１つのレンズで、互いに異なる厚みのディスクを記録・再生し得る対物レンズを簡易に構成することが可能となる。
【００８２】
したがって、従来の光記録媒体用対物レンズや光ピックアップ装置のように、収差を良好とするために、装置が大型化したり、その構造が複雑になったり、製造コストが高価になったりするおそれがない。
【図面の簡単な説明】
【図１】本発明の実施例１に係る対物レンズをＤＶＤに用いた場合の様子を示す概略図（Ａ）およびＣＤ−Ｒに用いた場合の様子を示す概略図（Ｂ）
【図２】本発明の実施例２に係る対物レンズをＤＶＤに用いた場合の様子を示す概略図（Ａ）およびＣＤ−Ｒに用いた場合の様子を示す概略図（Ｂ）
【図３】本発明の実施例３に係る対物レンズをＤＶＤに用いた場合の様子を示す概略図（Ａ）およびＣＤ−Ｒに用いた場合の様子を示す概略図（Ｂ）
【図４】本発明の実施例４に係る対物レンズをＤＶＤに用いた場合の様子を示す概略図（Ａ）およびＣＤ−Ｒに用いた場合の様子を示す概略図（Ｂ）
【図５】本発明の実施例５に係る対物レンズをＤＶＤに用いた場合の様子を示す概略図（Ａ）およびＣＤ−Ｒに用いた場合の様子を示す概略図（Ｂ）
【図６】本発明の実施例１の波面収差を示す収差図
【図７】本発明の実施例２の波面収差を示す収差図
【図８】本発明の実施例３の波面収差を示す収差図
【図９】本発明の実施例４の波面収差を示す収差図
【図１０】本発明の実施例５の波面収差を示す収差図
【図１１】本発明の実施形態に係る光ピックアップ装置を示す概略図
【符号の説明】
４              コリメータレンズ
５              対物レンズ
６              光ディスク
６Ａ            ＤＶＤ
６Ｂ            ＣＤ−Ｒ
６Ｐ            記録領域（記録面）
７              ４分割フォトダイオード
１１Ａ          ＬＤ電源
１１Ｂ、１１Ｃ  半導体レーザ
１１Ｄ、１３    ハーフミラー
１１Ｅ          切替スイッチ
１２            レーザ光
【図１】
0004076047.tif 000008
【図２】
0004076047.tif 000009
【図３】
0004076047.tif 000010
【図４】
0004076047.tif 000011
【図５】
0004076047.tif 000012
【図６】
0004076047.tif 000013
【図７】
0004076047.tif 000014
【図８】
0004076047.tif 000015
【図９】
0004076047.tif 000016
【図１０】
0004076047.tif 000017
【図１１】
0004076047.tif 000018